【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】
所定圧縮符号化方式で符号化された番組情報を複数多重化した、トランスポート・ストリーム・パケットを集合したトランスポート・ストリームを受信する工程と、
上記受信したトランスポート・ストリーム・パケット内に収容されている複数の番組情報の中のチャネルを選択する工程と、
選択したチャネルに含まれる番組情報の中から指定された番組を選択する工程と
を有する番組選択方法。
【請求項２】
上記圧縮符号化方式は、ＭＰＥＧ−２方式であり、
上記ＭＰＥＧ−２方式で圧縮符号化され多重化された上記トランスポート・ストリーム・パケットは、番組に対応するプログラムマップテーブル（ＰＭＴ）のパケット識別コードを含むプログラム関連付けテーブル（ＰＡＴ）と、上記番組情報を示すパケット識別コードを含むプログラムマップテーブル（ＰＭＴ）とを有し、
上記番組を選択する工程において、
上記プログラム関連付けテーブル（ＰＡＴ）を抽出し、その内容を解析して、プログラムマップテーブル（ＰＭＴ）のパケット識別コードを抽出し、
抽出したプログラムマップテーブル（ＰＭＴ）の内容を解析し、その解析結果に応じて指定された番組情報を選択する
請求項１記載の番組選択方法。
【請求項３】
上記番組を選択する工程において、上記プログラムマップテーブル（ＰＭＴ）の内容を解析した結果、選択した番組情報を抽出する
請求項２記載の番組選択方法。
【請求項４】
上記プログラム関連付けテーブル（ＰＡＴ）は、クロックを再生するためのプログラムクロックリファンス（ＰＣＲ）を示すパケット識別コードを含み、
上記番組を選択する工程において、上記プログラム関連付けテーブル（ＰＡＴ）を抽出して、さらに上記プログラムクロックリファンス（ＰＣＲ）を抽出し、抽出したプログラムクロックリファンス（ＰＣＲ）を参照してクロックを再生する
請求項２記載の番組選択方法。
【請求項５】
所定圧縮符号化方式で符号化された番組情報を複数多重化した、トランスポート・ストリーム・パケットを集合したトランスポート・ストリームを受信して復号する受信復号手段と、
上記受信して復号したトランスポート・ストリーム・パケット内に収容されている複数の番組情報の中のチャネルを選択して抽出するチャネル選択手段と、
選択したチャネルに含まれる番組情報の中から指定された番組を選択する番組選択手段と
を有する番組選択装置。
【請求項６】
上記圧縮符号化方式はＭＰＥＧ−２方式であり、
上記ＭＰＥＧ−２方式で圧縮符号化され多重化された上記トランスポート・ストリーム・パケットは、番組に対応するプログラムマップテーブル（ＰＭＴ）のパケット識別コードを含むプログラム関連付けテーブル（ＰＡＴ）と、上記番組情報を示すパケット識別コードを含むプログラムマップテーブル（ＰＭＴ）を有し、
上記チャネル選択手段は、上記受信して復号したトランスポート・ストリーム・パケット内に収容されている複数の番組情報の中のチャネルを選択して抽出し、
上記番組選択手段は上記選択されて抽出されたチャネルに含まれる上記プログラム関連付けテーブル（ＰＡＴ）を抽出し、その内容を解析してプログラムマップテーブル（ＰＭＴ）のパケット識別コードを抽出し、抽出したプログラムマップテーブル（ＰＭＴ）の内容を解析し、その解析結果に応じて指定された番組情報を選択するその内容を解析しその解析結果に応じて指定された番組情報を選択する
請求項５記載の番組選択装置。
【請求項７】
上記番組選択手段は、上記プログラムマップテーブル（ＰＭＴ）の内容を解析した結果、選択した番組情報を抽出する
請求項６記載の番組選択方法。
【請求項８】
クロック再生手段をさらに有し、
上記プログラム関連付けテーブル（ＰＡＴ）は、クロックを再生するためのプログラムクロックリファンス（ＰＣＲ）を示すパケット識別コードを含み、
上記番組選択手段において、上記プログラム関連付けテーブル（ＰＡＴ）を抽出して、さらに上記プログラムクロックリファンス（ＰＣＲ）を抽出し、
上記クロック再生手段は、抽出したプログラムクロックリファンス（ＰＣＲ）を参照してクロックを再生する
請求項６記載の番組選択装置。
【請求項９】
所定圧縮符号化方式で符号化された番組情報を複数多重化したトランスポート・ストリーム・パケットを集合したトランスポート・ストリームを受信して音声信号を再生するディジタルラジオ受信機であって、
チャネル選択スイッチ、番組選択スイッチおよびチャネルまたは番組を少なくとも数値表示する表示部を有する操作指示手段と、
受信した複数のチャネルのうち上記チャネル選択信号で指定されたチャネルの上記トランスポート・ストリームを選択出力するチャネル選択手段と、
上記チャネル選択手段から出力されたトランスポート・ストリームを復号する伝送路復号手段と、
上記伝送路復号手段で復号された多重化トランスポート・ストリームから、上記操作指示手段における番組選択信号で指定された番組のトランスポート・ストリーム・パケットに分解して出力する番組情報選択手段と、
上記番組情報選択手段から出力されたトランスポート・ストリーム・パケットに含まれるクロック情報からクロックを再生するクロック再生手段と、
上記番組情報選択手段から出力されたトランスポート・ストリーム・パケットに含まれる符号化情報から符号化音声信号を復号する音声復号手段と
を有するディジタルラジオ受信機。
【請求項１０】
上記圧縮符号化方式はＭＰＥＧ−２方式であり、
上記ＭＰＥＧ−２方式で圧縮符号化され多重化された上記トランスポート・ストリーム・パケットは、番組に対応するプログラムマップテーブル（ＰＭＴ）のパケット識別コードを含むプログラム関連付けテーブル（ＰＡＴ）と、上記番組情報を示すパケット識別コードを含むプログラムマップテーブル（ＰＭＴ）とを有し、
上記番組情報選択手段は、上記プログラム関連付けテーブル（ＰＡＴ）を抽出し、その内容を解析してプログラムマップテーブル（ＰＭＴ）のパケット識別コードを抽出し、抽出したプログラムマップテーブル（ＰＭＴ）の内容を解析し、その解析結果に応じて指定された番組情報を選択する
請求項９記載のディジタルラジオ受信機。
【請求項１１】
上記番組情報選択手段は、上記プログラムマップテーブル（ＰＭＴ）の内容を解析した結果、選択した番組情報を抽出し、
上記音声復号手段は、上記抽出された番組情報をＭＰＥＧ−２方式で復号・再生する
請求項１０記載のディジタルラジオ受信機。
【請求項１２】
上記プログラム関連付けテーブル（ＰＡＴ）は、クロックを再生するためのプログラムクロックリファンス（ＰＣＲ）を示すパケット識別コードを含み、
上記番組情報選択手段は、上記プログラム関連付けテーブル（ＰＡＴ）を抽出して、さらに上記プログラムクロックリファンス（ＰＣＲ）を抽出し、
上記クロック再生手段は、上記抽出されたプログラムクロックリファンス（ＰＣＲ）を参照してクロックを再生する
請求項１０記載のディジタルラジオ受信機。
【請求項１３】
上記チャネル選択手段は同調手段を含み、
上記番組情報選択手段は、多重化されたトランスポート・ストリームをトランスポート・ストリーム・パケットごと分解し、選択されたトランスポート・ストリーム・パケットを出力する多重分離手段と、当該多重分離手段と協動し、上記多重分離手段から出力される制御データに基づいて上記多重分離手段においてトランスポート・ストリーム・パケットごとに分離し、選択されたトランスポート・ストリーム・パケットを出力する制御信号を前記多重分離手段に出力するトランスポート・ストリーム復号手段とを有する
請求項９記載のディジタルラジオ受信機。
【請求項１４】
上記圧縮符号化方式はＭＰＥＧ−２方式であり、
上記ＭＰＥＧ−２方式で圧縮符号化され多重化された上記トランスポート・ストリーム・パケットは、番組に対応するプログラムマップテーブル（ＰＭＴ）のパケット識別コードを含むプログラム関連付けテーブル（ＰＡＴ）と、上記番組情報を示すパケット識別コードを含むプログラムマップテーブル（ＰＭＴ）とを有し、
上記番組情報選択手段を構成する上記多重分離手段および上記トランスポート・ストリーム復号手段は協動して、上記プログラム関連付けテーブル（ＰＡＴ）を抽出し、その内容を解析してプログラムマップテーブル（ＰＭＴ）のパケット識別コードを抽出し、抽出したプログラムマップテーブル（ＰＭＴ）の内容を解析し、その解析結果に応じて指定された番組情報を選択する
請求項１３記載のディジタルラジオ受信機。
【請求項１５】
上記番組情報選択手段を構成する上記多重分離手段および上記トランスポート・ストリーム復号手段は協動して、上記プログラムマップテーブル（ＰＭＴ）の内容を解析した結果、選択した番組情報を抽出し、
上記音声復号手段は、上記抽出された番組情報をＭＰＥＧ−２方式で復号・再生する
請求項１４記載のディジタルラジオ受信機。
【請求項１６】
上記操作指示手段は、チャネルを増加させるチャネル増加指示スイッチと、番組を増加させる番組増加指定スイッチと、チャネル数を表示させる第１の数字表示器と、番組数を表示させる第１の数字表示器を有し、
さらに制御手段を有し、
上記チャネル選択手段は上記制御手段と協動して、上記チャネル増加指示スイッチで選択されるたびチャネル数を増加させ、増加させたチャネル数が許容されたチャネル数を越えたら、初期チャネル数にリセットし、
上記番組情報選択手段は上記制御手段と協動して、上記番組増加指示スイッチで選択されるたび番組数を増加させ、増加させた番組数が許容された番組数を越えたら、初期番組数にリセットする
請求項９記載のディジタルラジオ受信機。
【請求項１７】
上記更新したチャネルおよび番組を記憶する記憶手段をさらに有し、
電源オン時、上記記憶手段に記憶したチャネルおよび番組を復活させる
請求項１６記載のディジタルラジオ受信機。
【手続補正２】
【補正対象書類名】明細書
【補正対象項目名】００２９
【補正方法】削除
【補正の内容】
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】